(57)【要約】【課題】記録媒体である布帛を粘着性ベルトに粘着させて搬送するにあたり、布帛の側縁の毛羽を粘着性ベルトに粘着させ、毛羽の印画ヘッドへの接触を防止できる搬送装置を提供する。【解決手段】記録媒体１０１を粘着させて搬送する粘着性ベルト４と、印画部よりも搬送方向上流側で記録媒体１０１の側縁部分を粘着性ベルト４に押圧する側縁部分押圧ローラ１３とを備え、側縁部分押圧ローラ１３は、記録媒体１０１の側縁部分と粘着性ベルト４の載置面とに追従してこれら双方に接して押圧する。【選択図】図３
2019116041.tif 000002
【特許請求の範囲】
【請求項１】
記録媒体が載置され移動操作されることにより前記記録媒体を粘着させて印画部に搬送する粘着性ベルトと、
前記印画部よりも前記記録媒体の搬送方向上流側において、前記搬送方向に直交する幅方向に亘って設けられ、前記記録媒体を前記粘着性ベルトに押圧する押圧手段と、
前記押圧手段と前記印画部との間において、前記記録媒体の前記幅方向の側縁部分を前記粘着性ベルトに押圧する側縁部分押圧手段と、を備え、
前記側縁部分押圧手段は、前記記録媒体の側縁部分と、前記粘着性ベルトの前記記録媒体の載置面とに追従する側縁部分押圧部材によって、これら双方を押圧することを特徴とする搬送装置。
【請求項２】
前記側縁部分押圧手段は、２個の前記側縁部分押圧部材によって前記記録媒体の両側の前記側縁部分を押圧することを特徴とする請求項１記載の搬送装置。
【請求項３】
前記側縁部分押圧部材は、前記押圧手段が前記記録媒体を押圧する箇所の前記幅方向の幅よりも狭い幅において、前記記録媒体を押圧することを特徴とする請求項１又は２記載の搬送装置。
【請求項４】
前記側縁部分押圧部材が前記記録媒体を押圧する箇所の前記幅方向の幅は、５０ｍｍ〜４００ｍｍであることを特徴とする請求項１、２又は３記載の搬送装置。
【請求項５】
前記側縁部分押圧部材は、前記幅方向に移動設置可能であることを特徴とする請求項１〜４の何れかに記載の搬送装置。
【請求項６】
前記側縁部分押圧部材が前記記録媒体を押圧する押圧力の面積あたり荷重は、前記押圧手段が前記記録媒体を押圧する押圧力の面積あたり荷重よりも大きいことを特徴とする請求項１〜５の何れかに記載の搬送装置。
【請求項７】
前記側縁部分押圧部材は、前記粘着性ベルトの移動により回転される側縁部分押圧回転体であって、
前記側縁部分押圧回転体は、前記記録媒体に押圧されることによって、回転軸が前記載置面に対して傾斜することにより、前記記録媒体の側縁部分と、前記粘着性ベルトの前記載置面とに追従することを特徴とする請求項１〜６の何れかに記載の搬送装置。
【請求項８】
前記側縁部分押圧部材は、前記粘着性ベルトの移動により回転される側縁部分押圧回転体であって、
前記側縁部分押圧回転体は、前記記録媒体の側縁に向けて拡径するテーパ形状に形成されていることにより、前記記録媒体の側縁部分と、前記粘着性ベルトの前記載置面とに追従することを特徴とする請求項１〜６の何れかに記載の搬送装置。
【請求項９】
前記側縁部分押圧部材は、前記粘着性ベルトの移動により回転される側縁部分押圧回転体であって、
前記側縁部分押圧回転体は、少なくとも表層部分が弾性材料により形成されていることによって、前記記録媒体の側縁部分と、前記粘着性ベルトの前記載置面とに、前記表層部分が弾性変形することにより追従することを特徴とする請求項１〜６の何れかに記載の搬送装置。
【請求項１０】
前記側縁部分押圧回転体の表層部分は、デュロメータタイプＡ硬度（ＪＩＳ  Ｋ  ６２５３）がＡ５〜Ａ６０の材質により形成されていることを特徴とする請求項９記載の搬送装置。
【請求項１１】
前記側縁部分押圧回転体は、回転軸が、前記載置面に平行な面内において、前記記録媒体の中央側が前記印画部に接近する方向に傾斜していることを特徴とする請求項７〜１０の何れかに記載の搬送装置。
【請求項１２】
請求項１〜１１の何れかに記載の搬送装置と、
前記印画部に、前記搬送装置の粘着性ベルトに粘着されて搬送されている記録媒体に対して画像形成を行う印画ヘッドとを備えたことを特徴とする画像形成装置。
【請求項１３】
前記印画ヘッドは、印画中は固定されて配置されており、搬送されている前記記録媒体に対して画像形成を行うことを特徴とする請求項１２記載の画像形成装置。
【発明の詳細な説明】
【技術分野】
【０００１】
本発明は、搬送装置及び画像形成装置に関し、詳しくは、記録媒体として布帛を用いて、布帛を粘着性ベルトに粘着させて搬送するにあたって、布帛の側縁の毛羽を粘着性ベルトに粘着させることができ、毛羽が印画ヘッドに接触することを防止して画像品質の劣化を防止でき、また、記録媒体及び印画ヘッド間の狭小化や、いわゆる「縁無し印画」にも対応可能な搬送装置及びこの搬送装置を備えた画像形成装置に関する。
【背景技術】
【０００２】
特許文献１には、インクジェット記録方式等の画像形成装置において記録媒体である布帛を搬送する搬送装置として、駆動ローラにより送り操作される粘着性ベルトに布帛を載置させ、布帛を粘着させて搬送する搬送装置を備えたものが記載されている。この搬送装置の粘着性ベルトには、布帛の搬送方向と交差する方向の端部を押さえる押さえ部が設けられている。この搬送装置は、押さえ部により、布帛の端部の毛羽の影響を抑制するようになっている。
【０００３】
特許文献２には、記録媒体を粘着させて搬送する搬送装置を備えた画像形成装置が記載されている。この搬送装置は、保持した記録媒体の上方から記録媒体の浮き上がりを押さえる押さえ部材を有しており、この押さえ部材における粘着性ベルトとの当接面には、粘着性ベルトの粘着力を軽減させる接着力軽減手段が設けられている。この搬送装置は、押さえ部材が粘着性ベルトに貼り付き、その後に反動で上方に跳ね上がることを防止するようになっている。
【０００４】
特許文献３には、紙しわが生じにくくした定着装置が記載されている。この定着装置は、回動可能な定着ロールと、定着ロールに張架されるベルト部材と、ベルト部材を介して定着ロールを押圧する加圧ロールと、ベルト部材の外表面を加圧ロールに押圧する剥離部材とを備え、加圧ロールは、ベルト部材をベルト部材の軸方向中央部より端部をより強く押圧し、剥離部材は、ベルト部材をベルト部材の軸方向中央部より端部を等圧以上で押圧するようになっている。
【先行技術文献】
【特許文献】
【０００５】
【特許文献１】特開２０１４−１６８９１３号公報
【特許文献２】特開２０１０−２６４５９６号公報
【特許文献３】特開２００９−１１６１２８号公報
【発明の概要】
【発明が解決しようとする課題】
【０００６】
特許文献１では、布帛を粘着性ベルトに粘着させて搬送するときに、押さえ部を用いないならば、布帛の側縁の毛羽（けば）が粘着性ベルトに粘着されない。図１６に示すように、布帛１０１を粘着性ベルト１０２に対して押さえローラ１０３によって押圧させても、布帛１０１の厚みによって、布帛１０１の側縁１０１ａの近傍において、押さえローラ１０３と粘着性ベルト１０２との間に空隙１０４が生ずる。この空隙１０４内にある毛羽１０１ｂは、粘着性ベルト１０２に押圧されないので、粘着されないのである。なお、押さえローラ１０３の押圧力を高めると、粘着性ベルト１０２が変形してしまい、その場合でも毛羽１０１ｂを粘着性ベルト１０２に粘着させることはできない。
【０００７】
このように粘着性ベルト１０２に粘着されない毛羽１０１ｂは、図１７に示すように、記録媒体１０１の表面側に立ち上がり、印画ヘッド１０５のノズル面１０５ａに接触する虞がある。印画ヘッド１０５のノズル面１０５ａに毛羽１０１ｂが接触すると、ノズル詰まりやノズル面１０５ａの傷損による吐出不良が誘引され、印画品質が劣化する。
【０００８】
特許文献１では、毛羽を粘着性ベルトに粘着させるために、布帛を押さえ部によって押さえたままで印画を行うため、布帛と印画ヘッドとの間隔を狭くすることができない。さらに、この搬送装置では、押さえ部によって覆われた側縁部分への印画ができず、いわゆる「縁無し印画」を行うことができない。
【０００９】
特許文献２では、布帛の毛羽を粘着させることは想定されていない。また、特許文献２に記載の搬送装置でも、記録媒体を押さえ部材によって押さえたままで印画を行うため、記録媒体と印画ヘッドとの間隔を狭くすることができない。この搬送装置でも、押さえ部材によって覆われた側縁部分への印画ができず、いわゆる「縁無し印画」を行うことができない。
【００１０】
特許文献３は、定着装置であり、印画前の記録媒体については想定されていない。また、記録媒体に布帛を用いることも想定されていない。
【００１１】
そこで本発明の課題は、記録媒体として布帛を用いて、布帛を粘着性ベルトに粘着させて搬送するにあたって、布帛の側縁の毛羽を粘着性ベルトに粘着させることができ、毛羽が印画ヘッドに接触することを防止して画像品質の劣化を防止でき、また、記録媒体及び印画ヘッド間の狭小化や、いわゆる「縁無し印画」にも対応可能な搬送装置及びこの搬送装置を備えた画像形成装置を提供することにある。
【００１２】
さらに本発明の他の課題は、以下の記載によって明らかとなる。
【課題を解決するための手段】
【００１３】
本発明の上記課題は、以下の各発明によって解決される。
【００１４】
１．
記録媒体が載置され移動操作されることにより前記記録媒体を粘着させて印画部に搬送する粘着性ベルトと、
前記印画部よりも前記記録媒体の搬送方向上流側において、前記搬送方向に直交する幅方向に亘って設けられ、前記記録媒体を前記粘着性ベルトに押圧する押圧手段と、
前記押圧手段と前記印画部との間において、前記記録媒体の前記幅方向の側縁部分を前記粘着性ベルトに押圧する側縁部分押圧手段と、を備え、
前記側縁部分押圧手段は、前記記録媒体の側縁部分と、前記粘着性ベルトの前記記録媒体の載置面とに追従する側縁部分押圧部材によって、これら双方を押圧することを特徴とする搬送装置。
２．
前記側縁部分押圧手段は、２個の前記側縁部分押圧部材によって前記記録媒体の両側の前記側縁部分を押圧することを特徴とする前記１記載の搬送装置。
３．
前記側縁部分押圧部材は、前記押圧手段が前記記録媒体を押圧する箇所の前記幅方向の幅よりも狭い幅において、前記記録媒体を押圧することを特徴とする前記１又は２記載の搬送装置。
４．
前記側縁部分押圧部材が前記記録媒体を押圧する箇所の前記幅方向の幅は、５０ｍｍ〜４００ｍｍであることを特徴とする前記１、２又は３記載の搬送装置。
５．
前記側縁部分押圧部材は、前記幅方向に移動設置可能であることを特徴とする前記１〜４の何れかに記載の搬送装置。
６．
前記側縁部分押圧部材が前記記録媒体を押圧する押圧力の面積あたり荷重は、前記押圧手段が前記記録媒体を押圧する押圧力の面積あたり荷重よりも大きいことを特徴とする前記１〜５の何れかに記載の搬送装置。
７．
前記側縁部分押圧部材は、前記粘着性ベルトの移動により回転される側縁部分押圧回転体であって、
前記側縁部分押圧回転体は、前記記録媒体に押圧されることによって、回転軸が前記載置面に対して傾斜することにより、前記記録媒体の側縁部分と、前記粘着性ベルトの前記載置面とに追従することを特徴とする前記１〜６の何れかに記載の搬送装置。
８．
前記側縁部分押圧部材は、前記粘着性ベルトの移動により回転される側縁部分押圧回転体であって、
前記側縁部分押圧回転体は、前記記録媒体の側縁に向けて拡径するテーパ形状に形成されていることにより、前記記録媒体の側縁部分と、前記粘着性ベルトの前記載置面とに追従することを特徴とする前記１〜６の何れかに記載の搬送装置。
９．
前記側縁部分押圧部材は、前記粘着性ベルトの移動により回転される側縁部分押圧回転体であって、
前記側縁部分押圧回転体は、少なくとも表層部分が弾性材料により形成されていることによって、前記記録媒体の側縁部分と、前記粘着性ベルトの前記載置面とに、前記表層部分が弾性変形することにより追従することを特徴とする前記１〜６の何れかに記載の搬送装置。
１０．
前記側縁部分押圧回転体の表層部分は、デュロメータタイプＡ硬度（ＪＩＳ  Ｋ  ６２５３）がＡ５〜Ａ６０の材質により形成されていることを特徴とする前記９記載の搬送装置。
１１．
前記側縁部分押圧回転体は、回転軸が、前記載置面に平行な面内において、前記記録媒体の中央側が前記印画部に接近する方向に傾斜していることを特徴とする前記７〜１０の何れかに記載の搬送装置。
１２．
前記１〜１１の何れかに記載の搬送装置と、
前記印画部に、前記搬送装置の粘着性ベルトに粘着されて搬送されている記録媒体に対して画像形成を行う印画ヘッドとを備えたことを特徴とする画像形成装置。
１３．
前記印画ヘッドは、印画中は固定されて配置されており、搬送されている前記記録媒体に対して画像形成を行うことを特徴とする前記１２記載の画像形成装置。
【発明の効果】
【００１５】
本発明によれば、記録媒体として布帛を用いて、布帛を粘着性ベルトに粘着させて搬送するにあたって、布帛の側縁の毛羽を粘着性ベルトに粘着させることができ、毛羽が印画ヘッドに接触することを防止して画像品質の劣化を防止でき、また、記録媒体及び印画ヘッド間の狭小化や、いわゆる「縁無し印画」にも対応可能な搬送装置及びこの搬送装置を備えた画像形成装置を提供することができる。
【図面の簡単な説明】
【００１６】
【図１】本発明の実施形態の搬送装置を備えた画像形成装置を示す概略側面図
【図２】本発明の実施形態の搬送装置及び画像形成装置を示すブロック図
【図３】図１に示した搬送装置の要部を示す概略斜視図
【図４】図１に示した搬送装置の側縁部分押圧ローラを示す概略斜視図
【図５】図４に示した側縁部分押圧ローラを示す概略平面図
【図６】図４に示した側縁部分押圧ローラを示す概略背面図
【図７】図４に示した側縁部分押圧ローラを示す概略側面図
【図８】図４に示した側縁部分押圧ローラを示す透視側面図
【図９】図４に示した側縁部分押圧ローラが傾斜した状態を示す概略背面図
【図１０】傾斜した側縁部分押圧ローラの要部を示す概略背面図
【図１１】テーパ状である側縁部分押圧ローラを示す概略背面図
【図１２】テーパ状である側縁部分押圧ローラの要部を示す概略背面図
【図１３】弾性材料からなる側縁部分押圧ローラを示す概略背面図
【図１４】弾性材料からなる側縁部分押圧ローラの要部を示す概略背面図
【図１５】水平方向に傾斜させた側縁部分押圧ローラを示す概略平面図
【図１６】従来の搬送装置の要部を示す概略背面図
【図１７】従来の画像形成装置の要部を示す概略背面図
【発明を実施するための形態】
【００１７】
以下、本発明の実施形態について図面を参照して説明する。
図１は、本発明の実施形態の搬送装置を備えた画像形成装置を示す概略側面図である。
【００１８】
この搬送装置１は、図１に示すように、記録媒体１０１を粘着させて平面性を維持して搬送し、この記録媒体１０１に対する印画ヘッド２による印画を可能とする装置である。記録媒体１０１は、各種の紙、布帛、合成樹脂シート、金属箔などであり、その表面（図１中の上側）に印画ヘッド２による印画が行えるものである。この実施形態では、記録媒体１０１は、布帛を想定している。
【００１９】
この実施形態においては、記録媒体１０１として、長尺状（ロール状）のシートを用いているが、枚葉式のシートであってもよい。印画ヘッド２は、この実施形態においては、印画中は固定して配置されるインクジェットヘッドであり、画像形成装置として、いわゆるシングルパス方式のインクジェット記録装置３を構成している。インクジェット記録装置３は、搬送装置１と、印画ヘッド２を有する印画部９とを備えて構成されている。
【００２０】
印画ヘッド２は、イエロー色インク用のイエローヘッド、マゼンタ色インク用のマゼンタヘッド、シアン色インク用のシアンヘッド及びブラック色インク用のブラックヘッドを含む計８色用の８個のヘッド２ａからなるがこれに限定されない。適宜増減することができる。
【００２１】
搬送装置１は、記録媒体１０１を粘着させる粘着性ベルト４を備えている。粘着性ベルト４は、ゴムや合成樹脂などの可撓性材料により形成された無端ベルトである。粘着性ベルト４は、記録媒体１０１を粘着させた状態で移動操作されることにより、図１中矢印Ａで示すように、粘着させた記録媒体１０１を搬送する。
【００２２】
粘着性ベルト４は、複数のローラ５，６，７，８に巻き掛けられている。これらローラ５，６，７，８のうちの少なくとも１つは、駆動モータの駆動力によって回転操作される駆動ローラである。粘着性ベルト４は、駆動ローラが回転操作されることにより、所定の速度で移動操作（送り操作）される。記録媒体１０１の搬送速度は、特に限定されない。
【００２３】
粘着性ベルト４は、何れか２個のローラ５、６間に亘る部分が、記録媒体１０１を平面状に保持して印画ヘッド２による印画が可能な印画部９を通過する。
【００２４】
粘着性ベルト４には、供給機構１０により、ロール体１０１ａから巻き出された記録媒体１０１が供給される。印画部９には、粘着性ベルト４の送り方向の上流側より、記録媒体１０１が搬入される。また、印画部９からは、粘着性ベルト４の送り方向の下流側へ、記録媒体１０１が搬出される。印画部９から離れる粘着性ベルト４からは、図示しない排出機構により、記録媒体１０１が排出される。
【００２５】
印画部９において、粘着性ベルト４の裏面（図１中の下側）には、ベルトを支持する図示しないローラが印画ヘッド２の直下に設けられている。粘着性ベルト４は、裏面を支持されて、平面性を維持される。
【００２６】
図２は、本発明の実施形態の搬送装置及び画像形成装置を示すブロック図である。
【００２７】
このインクジェット記録装置３は、図２に示すように、制御回路２２を備えている。この制御回路２２は、メモリ２３に記憶されたデータに基づいて、印画ヘッド２を制御する。また、制御回路２２は、搬送装置１を制御する。すなわち、制御回路２２は、粘着性ベルト４の移動操作（送り操作）及び供給機構１０における供給動作の駆動源となる駆動モータ２４を制御する。
【００２８】
また、制御回路２２は、搬送装置１に設けられた押圧手段である押圧回転体となる押圧ローラ１２を制御してもよい。さらに、制御回路２２は、側縁部分押圧手段を構成する側縁部分押圧部材であって、側縁部分押圧回転体となる側縁部分押圧ローラ１３を制御してもよい。
【００２９】
図３は、図１に示した搬送装置の要部を示す概略斜視図である。
【００３０】
この搬送装置１は、図３に示すように、印画部９よりも記録媒体１０１の搬送方向上流側に、押圧手段となる押圧ローラ１２及び側縁部分押圧手段を構成する側縁部分押圧部材であって側縁部分押圧回転体となる２個の側縁部分押圧ローラ１３、１３を備えている。
【００３１】
押圧ローラ１２は、中心軸回りに回転可能に支持されている。押圧ローラ１２の回転軸は、記録媒体１０１の搬送方向Ａに直交している。押圧ローラ１２は、粘着性ベルト４の移動により回転される。押圧ローラ１２は、記録媒体１０１の搬送方向Ａに直交する幅方向に亘る長さを有している。押圧ローラ１２の長さは、記録媒体１０１の幅を超える長さであることが好ましい。押圧ローラ１２は、図示しない押圧機構により、粘着性ベルト４上の記録媒体１０１を粘着性ベルト４側（下方）に押圧する。記録媒体１０１は、押圧ローラ１２に押圧されることにより、粘着性ベルト４に粘着される。
【００３２】
側縁部分押圧手段は、押圧ローラ１２と印画部９との間において、側縁部分押圧回転体となる２個の側縁部分押圧ローラ１３、１３により、記録媒体１０１の幅方向の側縁部分を粘着性ベルト４に押圧する。各側縁部分押圧ローラ１３、１３間の間隔は、記録媒体１０１の幅に対応した間隔になっている。
【００３３】
図４は、図１に示した搬送装置の側縁部分押圧ローラを示す概略斜視図である。
図５は、図４に示した側縁部分押圧ローラを示す概略平面図である。
図６は、図４に示した側縁部分押圧ローラを示す概略背面図である。
【００３４】
側縁部分押圧ローラ１３は、図４〜図６に示すように、回転軸１４回りに回転可能に支持されている。側縁部分押圧ローラ１３の回転軸１４は、記録媒体１０１の搬送方向Ａに直交している。側縁部分押圧ローラ１３は、粘着性ベルト４の移動により回転される。
【００３５】
各側縁部分押圧ローラ１３、１３は、図３に示すように、支持棒１５により支持されている。支持棒１５は、長手方向を記録媒体１０１の搬送方向Ａに直交させて（すなわち、押圧ローラ１２の回転軸に平行として）、粘着性ベルト４から離間して固定されている。この支持棒１５には、図４に示すように、支持枠１６が取付けられている。支持枠１６は、基端部分が支持棒１５に取付けられており、先端部分において、側縁部分押圧ローラ１３の回転軸１４の両端部分を支持している。
【００３６】
側縁部分押圧ローラ１３の回転軸１４は、支持枠１６に対して、粘着性ベルト４に対する接離方向（上下方向）に、一定の範囲で移動可能となっている。支持枠１６と回転軸１４の両端部分との間には、トーションバネ（ねじりコイルバネ）１７が取付けられている。このトーションバネ１７は、回転軸１４の両端部分に対応して、支持枠１６の両側にそれぞれ独立して設けられている。トーションバネ１７、１７は、コイル部を支持枠１６に固定された支軸１８により支持され、一端部分を支持枠１６に係止され、他端部分を回転軸１４に係合させている。これらトーションバネ１７、１７は、回転軸１４の両端部分を、図４中矢印Ｂで示す、粘着性ベルト４に接近する方向（下方）に向けて付勢している。トーションバネ１７、１７の付勢力により、側縁部分押圧ローラ１３は、粘着性ベルト４に接近する方向（下方）に向けて記録媒体１０１を押圧する。
【００３７】
図７は、図４に示した側縁部分押圧ローラを示す概略側面図である。
図８は、図４に示した側縁部分押圧ローラを示す透視側面図である。
【００３８】
支持枠１６には、図７及び図８に示すように、リフトレバー１９が取付けられている。このリフトレバー１９は、トーションバネ１７、１７のコイル部を支持する支軸１８により中央部分を回転可能に支持され、後端部分を支持枠１６の基端部分上に位置させ、前端部分を支持枠１６の先端部分において回転軸１４の両端部分の下方に位置させている。このリフトレバー１９は、後端部分を、図４中矢印Ｃで示す、粘着性ベルト４に接近する方向（下方）に向けて押圧することにより、トーションバネ１７、１７の付勢力に抗して、側縁部分押圧ローラ１３を、図４中矢印Ｄで示す、粘着性ベルト４から離間する方向（上方）に向けて移動させることができ、記録媒体１０１に対する押圧を解除することができる。
【００３９】
図９は、図４に示した側縁部分押圧ローラが傾斜した状態を示す概略背面図である。
図１０は、傾斜した側縁部分押圧ローラの要部を示す概略背面図である。
【００４０】
側縁部分押圧ローラ１３は、図９及び図１０に示すように、記録媒体１０１を押圧したときに、記録媒体１０１の側縁部分と、粘着性ベルト４の記録媒体１０１の載置面とに追従して、これら双方に接して押圧する。側縁部分押圧ローラ１３は、記録媒体１０１に押圧されることによって、回転軸１４が載置面に対して傾斜することにより、記録媒体１０１の側縁部分と、粘着性ベルト４の載置面とに追従して、これら双方に接して押圧する。このように、側縁部分押圧ローラ１３が傾斜して記録媒体１０１の側縁部分と粘着性ベルト４の載置面とに追従できるのは、トーションバネ１７、１７が左右独立しているからである。
【００４１】
この搬送装置１においては、側縁部分押圧ローラ１３が、記録媒体１０１の側縁部分と、粘着性ベルト４の載置面とに追従してこれら双方に接することにより、押圧ローラ１２による押圧のみでは粘着性ベルト４に充分に粘着させられなかった記録媒体１０１の側縁１０１ａの毛羽１０１ｂを確実に粘着させることができ、毛羽１０１ｂが印画ヘッド２に接触することによる画像品質の劣化を防止できる。
【００４２】
また、側縁部分押圧ローラ１３は、一定の箇所に保持されているので、記録媒体１０１を押圧し、その押圧箇所が印画部９に到達する前に、その押圧箇所から離間する。したがって、この搬送装置１は、記録媒体１０１及び印画ヘッド２間の狭小化（例えば、２ｍｍ以下）や、いわゆる「縁無し印画」にも対応可能である。
【００４３】
側縁部分押圧ローラ１３は、押圧ローラ１２が記録媒体１０１を押圧する箇所の幅方向の幅よりも狭い幅において、記録媒体１０１を押圧する。側縁部分押圧ローラ１３が記録媒体１０１を押圧する箇所の幅方向の幅は、例えば、５０ｍｍ〜４００ｍｍである。５０ｍｍ以上であるのは、記録媒体１０１の蛇行を防止するためである。４００ｍｍ以下であるのは、記録媒体１０１を十分に押圧しながら、構造の複雑性を防止するためである。
【００４４】
このように、幅の狭い側縁部分押圧ローラ１３により、記録媒体１０１の側縁部分のみを押圧するので、記録媒体１０１の側縁１０１ａの毛羽１０１ｂを、確実に粘着性ベルト４に粘着させることができる。
【００４５】
各側縁部分押圧ローラ１３、１３を支持する各支持枠１６、１６は、支持棒１５に沿って、支持棒１５の長手方向に移動可能としてもよい。この場合には、各側縁部分押圧ローラ１３、１３は、記録媒体１０１の幅方向に移動設置可能となる。各支持枠１６、１６は、支持枠１６に取り付けた蝶ネジ２０により、支持棒１５に対して固定できることが好ましい。各側縁部分押圧ローラ１３、１３を幅方向に移動設置可能にすると、幅の異なる記録媒体１０１を用いる場合にも、記録媒体１０１の側縁部分を的確に押圧することができる。
【００４６】
なお、記録媒体１０１の側縁１０１ａの位置を検知する蛇行検知手段を設け、記録媒体１０１の搬送に伴う蛇行に対応して、制御回路２２により、各側縁部分押圧ローラ１３、１３を幅方向に移動操作するようにしてもよい。
【００４７】
側縁部分押圧ローラ１３が記録媒体１０１を押圧する押圧力の面積あたり荷重は、押圧ローラ１２が記録媒体１０１を押圧する押圧力の面積あたり荷重よりも大きいことが好ましい。側縁部分押圧ローラ１３の押圧力の単位面積当たり荷重が大きいことにより、記録媒体１０１の側縁部分を確実に粘着させることができる。
【００４８】
例えば、押圧ローラ１２の長さが２０００ｍｍで、押圧力が１５００Ｎであるとき、側縁部分押圧ローラ１３の長さが１５０ｍｍであるとすると、側縁部分押圧ローラ１３の押圧力は、１５０（ｍｍ）・（１５００（Ｎ）／２０００（ｍｍ））＝１１２．５（Ｎ）より大きいことが好ましく、例えば、１５０Ｎ程度とすることが好ましい（押圧ローラ１２と側縁部分押圧ローラ１３とで、押圧箇所の幅が等しい場合）。
【００４９】
この実施形態においては、側縁部分押圧手段は、２個の側縁部分押圧ローラ１３、１３によって、記録媒体１０１の両側の側縁部分を押圧するが、側縁部分押圧ローラ１３を１個として、記録媒体１０１の片側のみの側縁部分を押圧するようにしてもよい。
【００５０】
なお、側縁部分押圧回転体としては、側縁部分押圧ローラ１３に限定されず、複数のプーリにより支持された無端ベルト（キャタピラ）を用いてもよい。  また、側縁部分押圧部材としては、側縁部分押圧回転体に限定されず、板バネのような弾性部材を用いてもよい。さらに、側縁部分押圧手段は、側縁部分押圧部材を用いずに、エアの吹き付けによっても、記録媒体１０１の側縁１０１ａの毛羽１０１ｂを粘着性ベルト４に粘着させることができる。なお、吹き付けられたエアは、記録媒体１０１の側縁部分と、粘着性ベルト４の載置面とに追従してこれら双方を押圧する。
【００５１】
図１１は、テーパ状である側縁部分押圧ローラを示す概略背面図である。
図１２は、テーパ状である側縁部分押圧ローラの要部を示す概略背面図である。
【００５２】
側縁部分押圧ローラ１３は、図１１及び図１２に示すように、記録媒体１０１の側縁１０１ａに向けて拡径するテーパ形状に形成することにより、記録媒体１０１の側縁部分と、粘着性ベルト４の載置面とに追従してこれら双方に接触するようにしてもよい。側縁部分押圧ローラ１３のテーパ角度は、記録媒体１０１の厚さに応じて決定することができる。
【００５３】
この場合には、回転軸１４が傾斜しなくとも、側縁部分押圧ローラ１３が記録媒体１０１と粘着性ベルト４とに追従して、これら双方に接することができるが、回転軸１４が傾斜してもよい。
【００５４】
図１３は、弾性材料からなる側縁部分押圧ローラを示す概略背面図である。
図１４は、弾性材料からなる側縁部分押圧ローラの要部を示す概略背面図である。
【００５５】
側縁部分押圧ローラ１３は、図１３及び図１４に示すように、少なくとも表層部分を弾性材料により形成することによって、記録媒体１０１の側縁部分と、粘着性ベルト４の載置面とに弾性変形により追従して、これら双方に接触するようにしてもよい。
【００５６】
側縁部分押圧ローラ１３の表層部分は、デュロメータタイプＡ硬度（ＪＩＳ  Ｋ  ６２５３）で、Ａ５〜Ａ６０の材質により形成することが好ましい。
【００５７】
この場合には、回転軸１４が傾斜しなくとも、側縁部分押圧ローラ１３の表層部分が記録媒体１０１と粘着性ベルト４とに追従して、これら双方に接することができるが、回転軸１４が傾斜してもよいし、側縁部分押圧ローラ１３をテーパ形状に形成してもよい。
【００５８】
図１５は、水平方向に傾斜させた側縁部分押圧ローラを示す概略平面図である。
【００５９】
側縁部分押圧ローラ１３は、図１５に示すように、回転軸１４が、記録媒体１０１の載置面に平行な面内において、記録媒体１０１の中央側が印画部９に接近する方向に傾斜させることも好ましい。この場合には、側縁部分押圧ローラ１３の表面部の、記録媒体１０１の表面における移動方向が、図１５中矢印Ｅで示すように、記録媒体１０１の側縁１０１ａ（外側）に向かう方向になる。側縁部分押圧ローラ１３の表面部が記録媒体１０１の側縁１０１ａに向けて移動することにより、記録媒体１０１の側縁１０１ａの毛羽１０１ｂを、記録媒体１０１の外側に寝かせて、粘着性ベルト４に粘着させることができる。
【００６０】
本発明は、前述した各実施形態に限定されることなく、本発明の趣旨を逸脱しない範囲において、種々の改良並びに設計の変更を行ってよい。また、前述した各実施形態においては、インク吐出方向が上下方向と略平行となるように構成された印画ヘッド２を示したが、インク吐出方向は如何なる方向であってもよく、例えば、傾斜方向や水平方向となるように構成してもよい。
【００６１】
また、印画ヘッド２は、記録媒体１０１の搬送方向に直交する方向に走査されるもの（スキャン方式）であってもよい。さらに、記録媒体１０１としては、枚葉式のシートを用いてもよい。
【００６２】
その他、具体的な細部構造や数値等及び制御回路２２の制御内容等についても適宜に変更可能であることは勿論である。加えて、今回開示された各実施形態は、全ての点で例示であって制限的なものではないと考えられるべきである。本発明の範囲は、上記した説明ではなくて特許請求の範囲によって示され、特許請求の範囲と均等の意味及び範囲内での全ての変更が含まれることが意図される。
【符号の説明】
【００６３】
１  搬送装置
２  印画ヘッド
３  インクジェット記録装置
４  粘着性ベルト
５，６，７，８  ローラ
９  印画部
１０  供給機構
１２  押圧ローラ
１３  側縁部分押圧ローラ
１４  回転軸
１５  支持棒
１６  支持枠
１７  トーションバネ（ねじりコイルバネ）
１８  支軸
１９  リフトレバー
２０  蝶ネジ
２２  制御回路
２３  メモリ
２４  駆動モータ
１０１  記録媒体
１０１ａ  側縁
１０１ｂ  毛羽
【図１】
2019116041.tif 000003
【図２】
2019116041.tif 000004
【図３】
2019116041.tif 000005
【図４】
2019116041.tif 000006
【図５】
2019116041.tif 000007
【図６】
2019116041.tif 000008
【図７】
2019116041.tif 000009
【図８】
2019116041.tif 000010
【図９】
2019116041.tif 000011
【図１０】
2019116041.tif 000012
【図１１】
2019116041.tif 000013
【図１２】
2019116041.tif 000014
【図１３】
2019116041.tif 000015
【図１４】
2019116041.tif 000016
【図１５】
2019116041.tif 000017
【図１６】
2019116041.tif 000018
【図１７】
2019116041.tif 000019